(57)【要約】【課題】  ２枚のラベルを重ね合わせ上面ラベルを容易に付けたり剥がしたりすることができる重ね貼りを行うラベルを作成することができる。【解決手段】  テープ印刷装置は、第１のフォーマットデータと第２のフォーマットデータとを格納するフォーマットデータ格納手段とされるＲＯＭ41と、所望の第１のフォーマットデータ及び／又は第２のフォーマットデータを選択するフォーマット選択手段と、第１の印刷テープに印刷する文字や記号等の第１のデータ及び／又は第２の印刷テープに印刷する文字や記号等の第２のデータを入力するデータ入力手段と、第１のデータ及び／又は第２のデータを上記第１の印刷テープ及び／又は第２の印刷テープに印刷して、第１のラベル及び／又は第２のラベルを作成する制御部40とを備え、制御部40は、第２の印刷テープが弱接着性の接着剤が塗布されたテープ又は自己粘着テープであることを検出して第２ラベルの印刷を実行する。【選択図】    図３
2011037029.tif 000002
【特許請求の範囲】
【請求項１】
対象物に貼着する第１のラベルとその第１のラベル上に貼着する引き剥がし可能な第２のラベルとを作成するテープ印刷装置であって、
印字面の裏面側が強接着性を有する第１の印刷テープを収納し該印刷テープが強接着性を有することを表す識別情報が付された第１のテープカセット、又は印字面の裏面側が弱接着性を有する第２の印刷テープを収納し該印刷テープが弱接着性を有することを表す識別情報が付された第２のテープカセットが交換可能に装着されるカセット収容部と、
前記第１の印刷テープに印刷して前記第１のラベルを作成するための複数の第１のフォーマットデータと、前記複数の第１のフォーマットデータと関連付けされ前記第２の印刷テープに印刷して前記第２のラベルを作成するための複数の第２のフォーマットデータと、を格納するフォーマットデータ格納手段と、
操作者が前記フォーマットデータ格納手段に格納された複数のフォーマットデータから所望の第１のフォーマットデータ及び／又は第２のフォーマットデータを選択するフォーマット選択手段と、
前記第１の印刷テープに印刷する文字や記号等の第１のデータ及び／又は前記第２の印刷テープに印刷する文字や記号等の第２のデータを操作者が入力するデータ入力手段と、
前記カセット収容部に装着されたテープカセットの種類を該テープカセットに付されたカセット識別情報に基づいて検出するカセット種別検出手段と、
前記カセット収容部に装着された第１のテープカセットに収納される第１の印刷テープ又は第２のテープカセットに収納される第２の印刷テープに対して印刷を行なう印刷手段と、
前記印刷手段を制御する制御手段と、を備え、
前記制御手段は、前記カセット種別検出手段によって前記カセット収容部に前記第１のテープカセットが装着されていることが検出された場合、前記印刷手段を制御して、前記フォーマット選択手段によって選択された第１のフォーマットデータに基づいて、前記データ入力手段によって入力された第１のデータを前記第１の印刷テープに印刷させて前記第１のラベルを作成し、前記カセット種別検出手段によって前記カセット収容部に前記第２のテープカセットが装着されていることが検出された場合、前記印刷手段を制御して、前記フォーマット選択手段によって選択された第２のフォーマットデータに基づいて、前記データ入力手段によって入力された第２のデータを前記第２の印刷テープに印刷させて前記第２のラベルを作成することを特徴とするテープ印刷装置。
【請求項２】
前記第１のフォーマットデータは、ラベルのサイズ、印刷を行う印刷領域及び前記第２のラベルを貼り付ける貼付領域を定める情報を含み、前記第２のフォーマットデータは、ラベルのサイズ、印刷を行う印刷領域を定める情報を含んでいることを特徴とする請求項１に記載のテープ印刷装置。
【請求項３】
前記制御手段は、前記フォーマット選択手段によって選択された前記第１のフォーマットデータ及び／又は前記第２のフォーマットデータに基づいて、前記データ入力手段から入力された第１のデータ及び／又は第２のデータを前記印刷手段によって前記第１の印刷テープ及び／又は前記第２の印刷テープに印刷させる際に、その選択された第１のフォーマットデータ及び／又は第２のフォーマットデータを表す識別情報を前記第１の印刷テープ及び／又は前記第２の印刷テープに印刷させることを特徴とする請求項１又は請求項２に記載のテープ印刷装置。
【請求項４】
印字面の裏面側が強接着性を有する第１の印刷テープを収納し該印刷テープが強接着性を有することを表す識別情報が付された第１のテープカセット、又は印字面の裏面側が弱接着性を有する第２の印刷テープを収納し該印刷テープが弱接着性を有することを表す識別情報が付された第２のテープカセットがテープ印刷装置に交換可能に装着される前記テープ印刷装置によって、対象物に貼着する第１のラベルとその第１のラベル上に貼着する引き剥がし可能な第２のラベルとを作成するラベル作成方法であって、
前記テープ印刷装置に格納されている前記第１の印刷テープに印刷して前記第１のラベルを作成するための複数の第１のフォーマットデータと、前記複数の第１のフォーマットデータと関連付けされ前記第２の印刷テープに印刷して前記第２のラベルを作成するための複数の第２のフォーマットデータとから選択された第１のフォーマットデータ及び／又は第２のフォーマットデータを設定するフォーマット設定処理と、
前記第１の印刷テープに印刷する文字や記号等の第１のデータ及び／又は前記第２の印刷テープに印刷する文字や記号等の第２のデータを設定するデータ設定処理と、
前記テープ印刷装置に装着されたテープカセットの種類を、該テープカセットに付されたカセット識別情報に基づいて検出するカセット種別検出処理と、
前記カセット種別検出処理によって前記テープ印刷装置に前記第１のテープカセットが装着されていることが検出された場合、前記フォーマット設定処理によって設定された第１のフォーマットデータに基づいて、前記データ設定処理によって設定された第１のデータを前記第１の印刷テープに印刷して前記第１のラベルを作成し、前記カセット種別検出処理によって前記テープ印刷装置に前記第２のテープカセットが装着されていることが検出された場合、前記フォーマット設定処理によって設定された第２のフォーマットデータに基づいて、前記データ設定処理によって設定された第２のデータを前記第２の印刷テープに印刷して前記第２のラベルを作成するラベル印刷処理と、
を行うことを特徴とするラベル作成方法。
【請求項５】
印字面の裏面側が強接着性を有する第１の印刷テープを収納し該印刷テープが強接着性を有することを表す識別情報が付された第１のテープカセット、又は印字面の裏面側が弱接着性を有する第２の印刷テープを収納し該印刷テープが弱接着性を有することを表す識別情報が付された第２のテープカセットがテープ印刷装置に交換可能に装着される前記テープ印刷装置によって、対象物に貼着する第１のラベルとその第１のラベル上に貼着する引き剥がし可能な第２のラベルとを作成するラベル作成方法を実現するためのプログラムを記憶したコンピュータ読み取り可能な記録媒体において、
前記テープ印刷装置に格納されている、前記第１の印刷テープに印刷して前記第１のラベルを作成するための複数の第１のフォーマットデータと前記複数の第１のフォーマットデータと関連付けされ前記第２の印刷テープに印刷して前記第２のラベルを作成するための複数の第２のフォーマットデータとから選択された第１のフォーマットデータ及び／又は第２のフォーマットデータを設定するフォーマット設定処理と、
前記第１の印刷テープに印刷する文字や記号等の第１のデータ及び／又は前記第２の印刷テープに印刷する文字や記号等の第２のデータを設定するデータ設定処理と、
前記テープ印刷装置に装着されたテープカセットの種類を、該テープカセットに付されたカセット識別情報に基づいて検出するカセット種別検出処理と、
前記カセット種別検出処理によって前記テープ印刷装置に前記第１のテープカセットが装着されていることが検出された場合、前記フォーマット設定処理によって設定された第１のフォーマットデータに基づいて、前記データ設定処理によって設定された第１のデータを前記第１の印刷テープに印刷して前記第１のラベルを作成し、前記カセット種別検出処理によって前記テープ印刷装置に前記第２のテープカセットが装着されていることが検出された場合、前記フォーマット設定処理によって設定された第２のフォーマットデータに基づいて、前記データ設定処理によって設定された第２のデータを前記第２の印刷テープに印刷して前記第２のラベルを作成するラベル印刷処理と、
を実現するためのプログラムが記憶されたことを特徴とするコンピュータ読み取り可能な記憶媒体。
【発明の詳細な説明】
【技術分野】
【０００１】
本発明は、２枚のラベルを重ねて貼る重ね貼り用のラベルを作成するテープ印刷装置と、該テープ印刷装置を用いて重ね貼り用ラベルを作成する方法と、この重ね貼り用ラベルの作成をテープ印刷装置に実行させるためのプログラムが記憶された記憶媒体に関する。
【背景技術】
【０００２】
テープカセット内に印刷層と剥離層とを積層してなる印刷テープを収納し、このテープカセットを印刷装置にセットして、キーボード等の入力手段から入力された或いは他の機器から出力された文字、記号、ロゴ、キャラクタ、マーク等を任意に印刷することで、固有のラベルを作成できる装置としてテープ印刷装置がある。
【０００３】
このようなテープ印刷装置の普及も進み、ラベルの用途が拡大されてきている。その結果、テープ印刷装置には、ラベルの用途などを考慮した、他のプリンタには存在しない印刷種類や、印刷時の処理なども種々採用されている。例えば、幅広の印刷テープを使用可能なテープ印刷装置を用いて、大きな文字で目立つ内容を記載し、併せて注意書きなどを小さな文字で記載した幅広の印刷テープによるラベルを作成し、誰もが目にする場所に貼っておくことができるものがある。
【０００４】
また、下記に示す特許文献１には千社札作成モードにより、テープの長さ方向に縦書きで比較的大きな第１文字列を印刷させ、続いて比較的小さな第２文字列をテープの幅方向に縦書きで印刷させて夫々を切断することにより、テープの所定幅をラベル幅としてラベル長さをテープ幅よりも長くした大きな第１ラベルと、テープの所定幅を長さ方向としてラベル幅をテープ幅よりも小さくした、小さな第２ラベルとなるような２枚の単独ラベルを作成し、第１文字列を印刷した大きな第１ラベル上に第２文字列を印刷した小さな第２ラベルを斜めに重ね貼りすることにより、千社札等の短冊シールを作成することができるテープ印刷装置が開示されている。
【先行技術文献】
【特許文献】
【０００５】
【特許文献１】特開２００１−２７７６０１号公報
【発明の概要】
【発明が解決しようとする課題】
【０００６】
しかしながら、上述の幅広の印刷テープを使用可能なテープ印刷装置で、大きな文字と小さな注意書きを印刷した場合、一部の注意書きなどの表示を変更する場合に新たにラベルを作成して貼り付ける等の作業が必要であった。しかも、ラベルを剥がした時に、貼り付けた対象物に糊残りが生じたり、貼り付けた対象物が紙等であれば破ける等の問題があった。
【０００７】
また、上述の特許文献１の千社札等の短冊シールを作成できるテープ印刷装置では、同一の印刷テープにより第１ラベルと第２ラベルとを作成することから、印刷テープが剥がれることがないように極めて強い接着力を有して形成されているものであれば、第２ラベルを付け替える場合に第１ラベル上に重ねて貼られた第２ラベルのみを剥がすことは容易ではない。このため、あらためて第２ラベルのみを作成して第２ラベルを貼り替えることができず、第１ラベルとともに作り直しとなり印刷テープが無駄になる。
【０００８】
本発明は、上述したような従来技術の問題点に鑑みてなされており、２枚のラベルを重ねて貼る重ね貼り用のラベルにおいて、上面ラベルを容易に付けたり剥がしたりすることができる重ね貼りを行うラベルを作成することができるテープ印刷装置を提供することを目的とする。
【課題を解決するための手段】
【０００９】
本発明に係るテープ印刷装置は、対象物に貼着する第１のラベルとその第１のラベル上に貼着する引き剥がし可能な第２のラベルとを作成するテープ印刷装置であって、印字面の裏面側が強接着性を有する第１の印刷テープを収納し、該印刷テープが強接着性を有することを表す識別情報が付された第１のテープカセット、又は印字面の裏面側が弱接着性を有する第２の印刷テープを収納し、該印刷テープが弱接着性を有することを表す識別情報が付された第２のテープカセットが交換可能に装着されるカセット収容部と、前記第１の印刷テープに印刷して前記第１のラベルを作成するための複数の第１のフォーマットデータと、前記複数の第１のフォーマットデータと関連付けされ前記第２の印刷テープに印刷して前記第２のラベルを作成するための複数の第２のフォーマットデータと、を格納するフォーマットデータ格納手段と、操作者が前記フォーマットデータ格納手段に格納された複数のフォーマットデータから所望の第１のフォーマットデータ及び／又は第２のフォーマットデータを選択するフォーマット選択手段と、前記第１の印刷テープに印刷する文字や記号等の第１のデータ及び／又は前記第２の印刷テープに印刷する文字や記号等の第２のデータを操作者が入力するデータ入力手段と、前記カセット収容部に装着されたテープカセットの種類を、該テープカセットに付されたカセット識別情報に基づいて検出するカセット種別検出手段と、前記カセット収容部に装着された第１のテープカセットに収納される第１の印刷テープ又は第２のテープカセットに収納される第２の印刷テープに対して印刷を行なう印刷手段と、前記印刷手段を制御する制御手段とを備え、前記制御手段は、前記カセット種別検出手段によって前記カセット収容部に前記第１のテープカセットが装着されていることが検出された場合、前記印刷手段を制御して、前記フォーマット選択手段によって選択された第１のフォーマットデータに基づいて、前記データ入力手段によって入力された第１のデータを前記第１の印刷テープに印刷させて前記第１のラベルを作成し、前記カセット種別検出手段によって前記カセット収容部に前記第２のテープカセットが装着されていることが検出された場合、前記印刷手段を制御して、前記フォーマット選択手段によって選択された第２のフォーマットデータに基づいて、前記データ入力手段によって入力された第２のデータを前記第２の印刷テープに印刷させて前記第２のラベルを作成することを特徴とする。
【００１０】
また、本発明に係るテープ印刷装置における前記第１のフォーマットデータは、ラベルのサイズ、印刷を行う印刷領域及び第２のラベルを貼り付ける貼付領域を定める情報を含み、前記第２のフォーマットデータは、ラベルのサイズ、印刷を行う印刷領域を定める情報を含んでいることを特徴とする。
【００１１】
更に、本発明に係るテープ印刷装置における前記制御手段は、前記フォーマット選択手段によって選択された前記第１のフォーマットデータ及び／又は前記第２のフォーマットデータに基づいて、前記データ入力手段から入力された第１のデータ及び／又は第２のデータを前記印刷手段によって前記第１の印刷テープ及び／又は前記第２の印刷テープに印刷させる際に、その選択された第１のフォーマットデータ及び／又は第２のフォーマットデータを表す識別情報を前記第１の印刷テープ及び／又は前記第２の印刷テープに印刷させることを特徴とする。
【００１２】
そして、本発明に係るラベルの作成方法は、印字面の裏面側が強接着性を有する第１の印刷テープを収納し、該印刷テープが強接着性を有することを表す識別情報が付された第１のテープカセット、又は印字面の裏面側が弱接着性を有する第２の印刷テープを収納し、該印刷テープが弱接着性を有することを表す識別情報が付された第２のテープカセットがテープ印刷装置に交換可能に装着される前記テープ印刷装置によって、対象物に貼着する第１のラベルとその第１のラベル上に貼着する引き剥がし可能な第２のラベルとを作成するラベル作成方法であって、前記テープ印刷装置に格納されている前記第１の印刷テープに印刷して前記第１のラベルを作成するための複数の第１のフォーマットデータと、前記複数の第１のフォーマットデータと関連付けされ前記第２の印刷テープに印刷して前記第２のラベルを作成するための複数の第２のフォーマットデータとから選択された第１のフォーマットデータ及び／又は第２のフォーマットデータを設定するフォーマット設定処理と、前記第１の印刷テープに印刷する文字や記号等の第１のデータ及び／又は前記第２の印刷テープに印刷する文字や記号等の第２のデータを設定するデータ設定処理と、前記テープ印刷装置に装着されたテープカセットの種類を、該テープカセットに付されたカセット識別情報に基づいて検出するカセット種別検出処理と、前記カセット種別検出処理によって前記テープ印刷装置に前記第１のテープカセットが装着されていることが検出された場合、前記フォーマット設定処理によって設定された第１のフォーマットデータに基づいて、前記データ設定処理によって設定された第１のデータを前記第１の印刷テープに印刷して前記第１のラベルを作成し、前記カセット種別検出処理によって前記テープ印刷装置に前記第２のテープカセットが装着されていることが検出された場合、前記フォーマット設定処理によって設定された第２のフォーマットデータに基づいて、前記データ設定処理によって設定された第２のデータを前記第２の印刷テープに印刷して前記第２のラベルを作成するラベル印刷処理とを行うことを特徴とする。
【００１３】
また、本発明に係る記憶媒体は、印字面の裏面側が強接着性を有する第１の印刷テープを収納し、該印刷テープが強接着性を有することを表す識別情報が付された第１のテープカセット、又は印字面の裏面側が弱接着性を有する第２の印刷テープを収納し、該印刷テープが弱接着性を有することを表す識別情報が付された第２のテープカセットが前記テープ印刷装置に交換可能に装着されるテープ印刷装置によって、対象物に貼着する第１のラベルとその第１のラベル上に貼着する引き剥がし可能な第２のラベルとを作成するラベル作成方法を実現するためのプログラムを記憶したコンピュータ読み取り可能な記録媒体において、前記テープ印刷装置に格納されている前記第１の印刷テープに印刷して前記第１のラベルを作成するための複数の第１のフォーマットデータと、前記複数の第１のフォーマットデータと関連付けされ前記第２の印刷テープに印刷して前記第２のラベルを作成するための複数の第２のフォーマットデータとから選択された第１のフォーマットデータ及び／又は第２のフォーマットデータを設定するフォーマット設定処理と、前記第１の印刷テープに印刷する文字や記号等の第１のデータ及び／又は前記第２の印刷テープに印刷する文字や記号等の第２のデータを設定するデータ設定処理と、前記テープ印刷装置に装着されたテープカセットの種類を、該テープカセットに付されたカセット識別情報に基づいて検出するカセット種別検出処理と、前記カセット種別検出処理によって前記テープ印刷装置に前記第１のテープカセットが装着されていることが検出された場合、前記フォーマット設定処理によって設定された第１のフォーマットデータに基づいて、前記データ設定処理によって設定された第１のデータを前記第１の印刷テープに印刷して前記第１のラベルを作成し、前記カセット種別検出処理によって前記テープ印刷装置に前記第２のテープカセットが装着されていることが検出された場合、前記フォーマット設定処理によって設定された第２のフォーマットデータに基づいて、前記データ設定処理によって設定された第２のデータを前記第２の印刷テープに印刷して前記第２のラベルを作成するラベル印刷処理と、を実現するためのプログラムが記憶されたことを特徴とする。
【発明の効果】
【００１４】
本発明によれば、２枚のラベルを重ねて貼る重ね貼り用のラベルにおいて、上面ラベルを容易に付けたり剥がしたりすることができる重ね貼りを行うラベルを作成することができるテープ印刷装置を提供することができる。
【図面の簡単な説明】
【００１５】
【図１】本発明の実施例に係るテープ印刷装置の平面図である。
【図２】本発明の実施例に係るテープ印刷装置の内部拡大図及びテープカセットの斜視図である。
【図３】本発明の実施例に係るテープ印刷装置の機能ブロック図である。
【図４】本発明の実施例に係る重ね貼り用ラベルのフォーマットデータの一例を示す説明図である。
【図５】本発明の実施例に係るテープ印刷装置による重ね貼り用ラベル作成の制御フローを示すフローチャートである。
【図６】本発明の実施例に係る重ね貼りを行うラベルとして下地ラベルと上面ラベルの具体例を示す説明図である。
【図７】本発明の実施例に係る重ね貼りを行うラベルとして下地ラベルと上面ラベルとのその他の具体例を示す説明図である。
【発明を実施するための形態】
【００１６】
以下、本発明を実施するための形態について述べる。本発明のテープ印刷装置1は、第１の印刷テープに印刷して第１のラベルを作成するための複数の第１のフォーマットデータと、上記複数の第１のフォーマットデータと関連付けされ第２の印刷テープに印刷して第２のラベルを作成するための複数の第２のフォーマットデータと、を格納するフォーマットデータ格納手段とされるＲＯＭ41を備える。また、テープ印刷装置1は、ＲＯＭ41に格納された複数のフォーマットデータから所望の第１のフォーマットデータ及び／又は第２のフォーマットデータを選択するフォーマット選択手段を備える。  
【００１７】
更に、テープ印刷装置1は、上記第１の印刷テープに印刷する文字や記号等の第１のデータ及び／又は上記第２の印刷テープに印刷する文字や記号等の第２のデータを入力するデータ入力手段とされる入力部3と、上記印刷テープの種別を検出するテープ種別検出手段とされるテープ種別検出スイッチ16とを備える。
【００１８】
そして、テープ印刷装置1は、上記フォーマット選択手段によって選択された第１のフォーマットデータ及び／又は第２のフォーマットデータに基づいて、入力部3によって入力された第１のデータ及び／又は第２のデータを上記第１の印刷テープ及び／又は第２の印刷テープに印刷して、上記第１のラベル及び／又は第２のラベルを作成する制御手段とされる制御部40、を備える。
【００１９】
制御部40は、テープ種別検出スイッチ16により上記第２の印刷テープが弱接着性の接着剤が塗布されたテープ又は自己粘着テープであることを検出して上記第２ラベルの印刷を実行する。
【実施例】
【００２０】
以下、本発明の実施例を図に基づいて詳説する。図１は、本発明の実施例に係るテープ印刷装置1の平面図であり、図２は、このテープ印刷装置1に使用するテープカセット21の外観及びテープ印刷装置1の内部構造の一部を示す斜視図である。テープ印刷装置1は、表面に印刷面を備え裏面が粘着面とされた印刷テープ層と、粘着面に貼付される剥離テープ層と、が積層されて形成された印刷テープ31に文字や模様等を印刷する装置である。
【００２１】
このテープ印刷装置1は、図１に示すように、筐体2の上面に入力部3、表示部4及びカセット収容部8を塞ぐ開閉蓋5が形成されている。また、図示しないが、筐体2には、パーソナルコンピュータ等の外部機器と接続するための入力端子、電源コードが接続される電源端子、メモリーカード等の記憶媒体が挿入される挿入口等も形成されている。
【００２２】
入力部3は、文字データを入力する文字入力キー、印刷開始を指示する印刷キー、表示部4の表示画面上のカーソルを移動操作するカーソルキー、印刷モードの設定や各種設定処理を行なう種々の制御キーによって構成されている。また、表示部4は、液晶表示装置等であり、入力されたデータに関する画像、各種の設定のための選択メニュー、各種の処理に関するメッセージ等が表示される。なお、テープ印刷装置1に、入力部3及び表示部4の両機能を備えたタッチパネルを配置することもできる。
【００２３】
そして、開閉蓋5の内側には、図２に示すように、印刷テープ31及びインクリボン35を収容したテープカセット21を装填するためのカセット収容部8が形成されている。また、カセット収容部8内には、テープ印刷機構45と、テープカセット21を所定の位置に支持するためのカセット受部15と、が形成されている。このテープ印刷機構45は、縦方向に配列された印刷素子と、印刷ヘッドとされるサーマルヘッド11と、サーマルヘッド11との間で印刷テープ31及びインクリボン35を挟み込んでこれを搬送するプラテンローラ12と、印刷に使用したインクリボン35をテープカセット21内に巻取るリボン巻取軸13と、を備える。
【００２４】
また、カセット収容部8の一端部に筐体2の外に通じるテープ繰出部7が形成されており、このテープ繰出部7には、印刷テープ31の印刷テープ層及び剥離テープ層を幅方向にカットするフルカット手段としてのフルカット機構18と、印刷テープ31の印刷テープのみをカットするハーフカット手段としてのハーフカット機構17が組み込まれている。
【００２５】
更に、テープカセット21は、カセットケース22を備え、このカセットケース22の内部には、印刷テープ31が巻装されたテープコア23、未使用のインクリボン35が巻装されたリボン供給コア24、使用済みのインクリボン35を巻取るリボン巻取コア25が夫々収納されている。また、テープカセット21のカセットケース22には、カセット収容部8内にテープカセット21を装填した場合にサーマルヘッド11が位置するヘッド配置部27が形成されている。
【００２６】
なお、本実施例の印刷テープ31は、その印字面の裏面側にアクリル系樹脂からなる接着力の強い接着剤を有するもの（第１の印刷テープ）と、印字面の裏面側に弱接着性の接着剤を有するもの、或いは、接着剤は使用しないがテープの素材自体が弱い接着性を有する自己粘着テープ等のもの（第２の印刷テープ）がある。弱接着性の接着剤は、感圧性の貼着力の弱い貼着剤である。この感圧接着剤は、公知の素材からなり、例えば天然ゴム、イソプレンゴム、スチレンブタジエンゴム、ポリイソブチレン等の合成ゴム、アクリル樹脂、シリコン樹脂、エポキシ樹脂及びスチレン樹脂等の結晶性の低い高分子に、ロジン、ポリテルペン樹脂及び石油樹脂等の粘着付与樹脂剤を添加したり、或いはガラス転移点が低く、軟らかい高粘着性成分の共重合等によって粘着性を付与して構成される。
【００２７】
なお、上記成分には更にパラフィンワックス、マイクロクリスタリンワックス、ポリエチレンワックス等のワックス類、ステアリン酸、ラウリル酸等の高級樹脂酸、ステアリン酸アミド及びパルミチン酸アミド等の樹脂酸の如き滑剤や、シリカ、カオリン、タルク、炭酸カルシウム及びゼオライト等の無機充填剤を配合することもある。これらの成分を、水系又は有機溶剤系の溶媒に分散または溶解させ、公知のバーコータ、ロールコータ及びエアナイフコータ等の塗工機や、フレキソ、グラビア及びシルクスクリーン等の印刷機によって数μｍの厚さにコーティングして形成する。また、自己粘着テープは、特殊粘着剤を使用してテープ自体に粘着性を有するフィルムテープである。
【００２８】
また、カセットケース22の隅部には、カセット収容部8のカセット受部15と係合し、このカセット受部15によって支持される被係合部29が形成されている。また、このカセットケース22の被係合部29には、図示しないがテープカセット21の種類に応じたカセット識別情報としての所定の凹凸が形成されており、カセット収容部8のカセット受部15には、テープカセット21が装填された場合にカセットケース22の被係合部29に形成された凹凸を判別するカセット種別検出手段である所定のテープ種別検出スイッチ16が形成されている。そして、テープ印刷装置1は、カセットケース22がカセット収容部8に装填されると、カセットケース22の被係合部29とカセット収容部8のカセット受部15に形成されたテープ種別検出スイッチ16の幾つか或いは全部が係合し、係合したテープ種別検出スイッチ16が押下されて、このオン状態となったテープ種別検出スイッチ16の組み合わせによってテープカセット21のテープ幅、テープ色及び上述の接着面の接着剤の強弱の種類を判別できるようになっている。
【００２９】
つまり、このテープ印刷装置1は、テープカセット21の種類が内蔵する印刷テープ31の種類や印刷テープ31の幅によって異なるため、このテープカセット21の種類を判別することによって、印刷対象物であるテープの幅、テープ色及び接着面の接着剤の強弱の種類を識別することができ、制御部40がテープ幅に適合した印刷データを作成することができるようになっている。
【００３０】
このテープ印刷装置1は、印刷の指示がされると、印刷テープ31及びインクリボン35がテープカセット21から繰り出され、プラテンローラ12とサーマルヘッド11の間にこれらの印刷テープ31及びインクリボン35が重ね合わされた状態で挟み込まれて搬送される。そして、サーマルヘッド11が印刷データに基づいて発熱駆動され、インクリボン35のインクが印刷テープ31に熱転写されて印刷テープ31に印刷が行なわれ、印刷が終了すると設定によりフルカット機構18又はハーフカット機構17が作動して印刷テープ31が幅方向に切断され、１枚のテープ状の印刷物が作成される。
【００３１】
図３は、このテープ印刷装置1の回路構成を示すブロック図である。このテープ印刷装置1は、図３に示すように、制御手段とされる制御部40を備え、この制御部40に記憶手段としてのＲＯＭ41、ＲＡＭ42及び補助記憶装置44、入力手段としての入力部3、表示手段としての表示部4とが接続されている。更に、制御部40には、印刷手段駆動回路51、搬送手段駆動回路52、切断手段駆動回路53が接続されている。
【００３２】
この制御部40は、ＣＰＵであって、入力部3からのキー操作信号に応じて、又は、自動でＲＯＭ41に予め記憶されているシステムプログラム、メモリーカードに記憶された制御プログラム、外部機器から読み込まれた制御プログラム等を起動させ、ＲＡＭ42をワークメモリとして回路各部の動作を制御する。
【００３３】
ＲＯＭ41は、入力部3から入力された文字を印刷するためのプログラム、印刷フォント、塗り潰しに使用される斜線や網目、ドット模様等が記憶され、制御部40で読取り可能なプログラムが記憶された記憶媒体としても機能する。また、このＲＯＭ41としては、ＥＰＲＯＭ等の書込みが可能なＲＯＭが使用される場合もあり、書込み可能なＲＯＭが使用される場合には、ＲＯＭ41が補助記憶装置44としても機能する。
【００３４】
ＲＡＭ42は、キー入力された文字や選択された模様、サイズや文字間隔等の印刷情報を記憶する入力データメモリ、入力された印刷情報が展開された印刷パターンデータが記憶される印刷データメモリ、表示部4に表示されるパターンデータが記憶される表示データメモリ等の各領域が確保され、印刷処理等に必要なデータを一時的に記憶するレジスタやカウンタ等が設けられている。
【００３５】
補助記憶装置44は、テープ印刷装置1に内蔵されたハードディスクやテープ印刷装置1に接続されるメモリーカード等によって構成されている。
【００３６】
印刷手段駆動回路51は、印刷情報や書式設定の情報に従って印刷手段であるサーマルヘッド11を制御し、印刷テープ31に印刷を実行させる。搬送手段駆動回路52は、搬送手段を駆動させる回路であって、プラテンローラ12やリボン巻取軸13を回転させるステッピングモータ等の搬送モータ46を制御し、所定の速度で長手方向に印刷テープ31を搬送する。切断手段駆動回路53は、フルカット手段及びハーフカット手段等の切断手段を制御する駆動回路であり、フルカット機構18で使用されるカッターモータ48aとしてのステッピングモータやハーフカット機構17で使用されるカッターモータ48bとしてのＤＣモータ等を制御する。
【００３７】
ここで、本発明の重ね貼りラベル作成モードについて説明する。図４は、フォーマットデータ格納手段とするＲＯＭ41の一部に格納される重ね貼りを行うラベル用のフォーマットデータの一例を示す説明図である。
【００３８】
重ね貼りを行うラベルの作成における複数のフォーマットデータは、予めＲＯＭ41に格納されており、図４に示すように、ナンバー０１のフォーマットデータには、下地ラベルとして第１ラベル「０１−Ａ」の識別情報が登録されている。第１ラベル「０１−Ａ」は、長方形をなすラベル形状であり、ラベル上部の黒塗り部には文字列等の印刷領域が設定されており、ラベル下部には第２ラベル「０１−Ｂ」を貼付させる目印が印刷されるように設定される。なお、目印は、図に示したように貼付部の枠部分を黒線で印刷させる以外に点線等を印刷させたり四隅にマークを印刷させるようにしても構わない。
【００３９】
また、ナンバー０１のフォーマットデータには、上面ラベルとして第２ラベル「０１−Ｂ」の識別情報が登録されている。第２ラベル「０１−Ｂ」は、第１ラベル「０１−Ａ」と比較してテープ幅の小さな長方形をなすラベル形状であり、長さが第１ラベルの長さ以下とされ、中央のハッチ部に文字列等の印刷領域が設定されている。
【００４０】
なお、この上面ラベルの幅は、下地ラベルとする第１ラベル「０１−Ａ」の貼付目印の幅と略等しい幅とされている。
【００４１】
一方、ナンバー０２のフォーマットデータには、下地ラベルとしての第１ラベル「０２−Ａ」の識別情報が登録されている。第１ラベル「０２−Ａ」は、長方形をなすラベル形状であり、ラベル上部の黒塗り部に文字列等の印刷領域が設定されている。そして、第２ラベル「０２−Ｂ」は、第１ラベル「０２−Ａ」と同じサイズの形状をなし、透明の印刷テープ31が設定される。また、第２ラベル「０２−Ｂ」のラベル下部には、文字列等の印刷領域が設定されている。つまり、ナンバー０２のフォーマットデータによる重ね貼りを行うラベルでは、第１ラベルの上から、重ねるように第２ラベルを貼ることにより重ね貼りラベルが作成される。そして、第１ラベルの印刷領域と第２ラベルの印刷領域とが重ならないように設定されている。
【００４２】
そして、フォーマットデータにおけるラベルサイズは、例えば「縦４６ｍｍ横１００ｍｍ」、「縦３６ｍｍ横１００ｍｍ」、「縦４６ｍｍ横７０ｍｍ」等のように縦横サイズが設定されており、縦のサイズが印刷テープ31のテープ幅を示す。また、印刷領域における文字サイズは、領域内で最大となる文字サイズを選択されるようにしながら、文字数が増加して領域内からはみ出す場合には、小さい文字サイズが自動で選択されるようにしても構わない。また、フォーマットデータには、ラベルサイズを同様にして印刷領域を上付き、中央等に位置を異なるようにしたり、ラベルサイズを同様にして印刷領域を狭くしたり、太くするようにしたフォーマットデータも含まれるようにしても構わない。
【００４３】
重ね貼りラベル作成モードにより重ね貼りを行うラベルを作成するには、制御手段がフォーマット選択手段として機能することにより、先ず予めＲＯＭ41に格納されている重ね貼りを行うラベルの複数のフォーマットデータを表示手段に表示して所定のフォーマットデータを選択させる。次に、第１ラベルである下地ラベルと第２ラベルである上面ラベルとを連続的に作成するか、又は、下地ラベルと上面ラベルとの何れかのラベルを作成するかを選択させる。そして、下地ラベル及び／又は上面ラベル用の文字列を入力させることにより、下地ラベル用の第１データ及び／又は上面ラベル用の第２データが生成される。
【００４４】
なお、ここで第２ラベルである上面ラベルには、弱接着性のテープ又は自己粘着テープを使用することとしている。
【００４５】
そして、制御部40は、印刷開始を指示する印刷キー押下により、下地ラベル及び／又は上面ラベルに使用する夫々のテープカセット21を選択されたフォーマットデータから抽出し、装着されたテープカセット21をテープ種別検出スイッチ16により検出することにより、設定されたフォーマットデータに則って第１データにより下地ラベルを作成し、第２データにより上面ラベルを作成する。
【００４６】
なお、重ね貼りラベル作成モードにおいて、下地ラベルを作成するための第１のフォーマットデータは、ラベルのサイズ、印刷を行う印刷領域及び第２のラベルを貼り付ける貼付領域を定める情報を含む。また、上面ラベルを作成するための第２のフォーマットデータは、ラベルのサイズ、印刷を行う印刷領域を定める情報を含んでいる。
【００４７】
また、重ね貼りラベル作成モードにおける夫々のラベルには、下地ラベルと上面ラベルとを組み合わせるための識別情報を記すために、各ラベルの隅部に、識別情報に基づく識別記号が印刷される。
【００４８】
なお、フォーマットデータの選択にあたっては、予め登録されたラベルサイズ、印刷領域等のフォーマットを選択させるものとしたが、例えば、フォーマットの選択においてラベルサイズ及び印刷領域の縦横を数値で入力されるようにすることもあり、更に印刷領域についても上付き、中央、下付きと自由に設定できるようにしても構わない。
【００４９】
以下、本実施例のテープ印刷装置1に係る重ね貼りを行うラベルの作成に関して述べる。図５は、重ね貼り用ラベルの作成の制御フローを示すフローチャートである。
【００５０】
制御部40は、制御キーにより印刷モードが重ね貼りラベル作成モードにされることにより、ＲＯＭ41に格納されている重ね貼りを行うラベル用の複数のフォーマットデータを選択可能なように表示部4に表示させる。そして、制御部40は、操作者により下地ラベルのフォーマットデータである第１フォーマットデータと、上面ラベルのフォーマットデータである第２フォーマットデータとからなるフォーマットデータが選択されることにより、フォーマット設定処理（ステップＳ１０１）を実行する。制御部40は、フォーマット設定処理（ステップＳ１０１）により選択された重ね貼りを行うラベル用のフォーマットデータと識別情報とを一旦ＲＡＭ42の印刷データメモリに格納させる。
【００５１】
次に制御部40は、重ね貼りラベル作成モードにおける下地のラベルと上面のラベルの両方を作成するのか、又はどちらかのみを作成するのかを操作者に選択させるためにラベルの両方又は片側作成判定（ステップＳ１０５）として表示部4にメッセージを表示させる。操作者により下地と上面の両方のラベル作成が選択されると、第１、第２ラベルの文字列等の入力処理（ステップＳ１１０）に進み、操作者により下地か上面かのどちらかのラベル作成が選択されると、第１又は第２ラベルの文字列等の入力処理（ステップＳ１５０）に進む。
【００５２】
操作者により下地と上面の両方のラベル作成が選択されると、制御部40は、第１、第２ラベルの文字列等の入力処理（ステップＳ１１０）として、操作者に第１、第２ラベルの文字列等を入力させるために表示部4に文字入力用の画面を表示させる。
【００５３】
操作者により下地と上面の両方のラベル作成のために第１、第２ラベルの文字列等の入力が完了し、印刷開始を指示する印刷キーが押下されると、制御部40は、印刷キー処理（ステップＳ１１５）として、入力された第１、第２ラベルの文字列等の情報を第１データ、第２データとして一旦ＲＡＭ42の入力データメモリに格納させる。
【００５４】
次に、制御部40は、重ね貼りを行うラベルの内、先ず下地のラベルである第１ラベルを作成するためのテープカセット21を装着させるために、予めＲＡＭ42の印刷データメモリに格納された重ね貼りを行うラベル用のフォーマットデータからテープ幅の情報を抽出し、例えばテープ幅２０ｍｍとあれば、表示部4に「テープ幅２０ｍｍのテープを装着してください。」等の第１ラベル作成用のテープカセット21への交換を促すメッセージを表示させるメッセージ表示処理（ステップＳ１２０）を実行する。
【００５５】
制御部40は、メッセージ表示処理（ステップＳ１２０）実行後に、テープ種別検出スイッチ16の状態を検出し、装着されているテープカセット21の種別を確認すべくテープカセット種別判定（ステップＳ１２５）を実行する。
【００５６】
テープカセット種別判定（ステップＳ１２５）により、第１ラベル作成用のテープカセット21の装着が検出されると第１ラベル印刷処理（ステップＳ１３０）に進み、第１ラベル作成用のテープカセット21とは異なるテープカセット21の装着が検出されると再度メッセージ表示処理（ステップＳ１２０）に戻って、「テープ幅２０ｍｍのテープを装着してください。」等の第１ラベル作成用のテープカセット21への交換を促すメッセージを表示させる。
【００５７】
制御部40は、第１ラベル作成用のテープカセット21の装着が検出されると第１ラベル印刷処理（ステップＳ１３０）として、ＲＡＭ42の入力データメモリに格納された第１ラベルの文字列の情報である第１データと、ＲＡＭ42の印刷データメモリに格納された重ね貼りを行うラベルのフォーマットデータ及び識別情報から印刷する文字サイズ、印刷位置、フォント等を抽出して印刷データを生成する。制御部40は、生成された印刷データにより装着されたテープカセット21の印刷テープ31に印刷を開始させる第１ラベル印刷処理（ステップＳ１３０）を実行する。
【００５８】
第１ラベルの作成用のテープカセット21の印刷テープ31への文字列及び識別情報の印刷が完了し、印刷テープ31を所定の位置で切断させると第１ラベルの作成完了となり、次に制御部40は、重ね貼りを行うラベルの内、残る上面のラベルである第２ラベルを作成するためのテープカセット21を装着させるために、予めＲＡＭ42の印刷データメモリに格納された重ね貼りを行うラベル用のフォーマットデータ及び識別情報から第２ラベル用のテープ幅、色、接着面の接着剤の強弱の情報を抽出し、例えばフォーマットデータにテープ幅８ｍｍとあれば、表示部4に「テープ幅８ｍｍ、自己粘着テープを装着してください。」等の第２ラベル作成用のテープカセット21への交換を促すメッセージを表示させるメッセージ表示処理（ステップＳ１３５）を実行する。
【００５９】
制御部40は、メッセージ表示処理（ステップＳ１３５）実行後に、テープ種別検出スイッチ16の状態を検出し、装着されているテープカセット21の種別を確認すべくテープカセット種別判定（ステップＳ１４０）を実行する。
【００６０】
テープカセット種別判定（ステップＳ１４０）により、第２ラベル作成用のテープカセット21の装着が検出されると第２ラベル印刷処理（ステップＳ１４５）に進み、第２ラベル作成用のテープカセット21とは異なるテープカセット21の装着が検出されると再度メッセージ表示処理（ステップＳ１３５）に戻って、「テープ幅８ｍｍ、自己粘着テープを装着してください。」等の第２ラベル作成用のテープカセット21への交換を促すメッセージを表示させる。
【００６１】
制御部40は、第２ラベル作成用のテープカセット21の装着が検出されると第２ラベル印刷処理（ステップＳ１４５）として、ＲＡＭ42の入力データメモリに格納された第２ラベルの文字列の第２データと、ＲＡＭ42の印刷データメモリに格納された重ね貼りを行うラベルのフォーマットデータ及び識別情報から印刷する文字サイズ、印刷位置、フォント等を抽出して印刷データを生成する。制御部40は、生成された印刷データにより装着されたテープカセット21の印刷テープ31への印刷を開始させる第２ラベル印刷処理（ステップＳ１４５）を実行する。制御部40は、第２ラベルの作成用のテープカセット21の印刷テープ31への文字列及び識別情報の印刷が完了し、印刷テープ31を所定の位置で切断させると第２ラベルの作成完了となり、重ね貼りを行うラベルとしての第１ラベルと第２ラベルとを夫々完成させることとなる。
【００６２】
一方、ラベル両方／片側作成判定（ステップＳ１０５）において、操作者により下地か上面かのどちらかのラベル作成が選択されると、次に制御部40は、操作者に第１ラベルである下地のラベル、と第２ラベルである上面のラベルとのどちらのラベルを作成するのかを選択させるように表示部4に「上面ラベルと下地ラベルのどちらを作成しますか？」等のメッセージを表示させる。そして制御部40は、操作者により第１ラベルか、第２ラベルかどちらかの作成が選択されることにより選択ラベル判定処理（ステップＳ１５０）を実行する。制御部40は、選択された第１又は第２ラベルの文字列等の入力処理（ステップＳ１５５）として、操作者に第１、第２ラベルの文字列等を入力させるために表示部4に文字入力用の画面を表示させる。
【００６３】
操作者により選択された下地か上面かの何れかのラベル作成のための文字列等の入力が完了して、印刷開始を指示する印刷キーが押下されると、制御部40は、印刷キー処理（ステップＳ１６０）として、入力された第１又は第２ラベルの文字列等の情報を第１データ又は第２データとして一旦ＲＡＭ42の入力データメモリに格納させる。
【００６４】
次に、制御部40は、操作者に選択された下地か上面かの何れかのラベル作成のためのテープカセット21を装着させるために、予めＲＡＭ42の印刷データメモリに格納された重ね貼りを行うラベル用のフォーマットデータからテープ幅の情報を抽出し、例えばフォーマットデータに下地ラベル用のテープ幅２０ｍｍとあれば、表示部4に「テープ幅２０ｍｍのテープを装着してください。」等のラベル作成用のテープカセット21への交換を促すメッセージを表示させるメッセージ表示処理（ステップＳ１６５）を実行する。
【００６５】
制御部40は、メッセージ表示処理（ステップＳ１６５）実行後に、テープ種別検出スイッチ16の状態を検出し、装着されているテープカセット21の種別を確認すべくテープカセット種別判定（ステップＳ１７０）を実行する。
【００６６】
テープカセット種別判定（ステップＳ１７０）により、所定のラベル作成用のテープカセット21の装着が検出されると第１ラベル又は第２ラベル印刷処理（ステップＳ１７５）に進み、所定のラベル作成用のテープカセット21とは異なるテープカセット21の装着が検出されると再度メッセージ表示処理（ステップＳ１６５）に戻って、「テープ幅２０ｍｍのテープを装着してください。」等の所定のラベル作成用のテープカセット21への交換を促すメッセージを表示させる。
【００６７】
制御部40は、所定のラベル作成用のテープカセット21の装着が検出されるとラベル印刷処理（ステップＳ１７５）として、ＲＡＭ42の入力データメモリに格納された所定のラベルの文字列の第１データ又は第２データと、ＲＡＭ42の印刷データメモリに格納された重ね貼りを行うラベル用のフォーマットデータから印刷する文字サイズ、印刷位置、フォント等を抽出して印刷データを生成する。制御部40は、生成された印刷データにより装着されたテープカセット21の印刷テープ31への印刷を開始させるラベル印刷処理（ステップＳ１７５）を実行し、所定のラベル作成用のテープカセット21の印刷テープ31への印刷が完了し、印刷テープ31を所定の位置で切断させるとラベルを完成させることとなる。
【００６８】
次に、このような制御フローに従って作成される重ね貼りを行うラベルについて、具体例を挙げながら説明する。図６、図７は、重ね貼りを行うラベルとして下地ラベルと上面ラベルの具体例を示す説明図である。
【００６９】
重ね貼りを行うラベルの具体例である図６（ａ）は、上部に「本日のランチ」という文字列が印刷された下地ラベル（０１−Ａ）の一例である。図６（ｂ）は、幅細で弱接着性の接着剤が塗布されたテープか又は自己粘着テープにより作成された「￥１，０００」という文字列が印刷されている上面ラベル（０１−Ｂ）の一例である。また、下地ラベル（０１−Ａ）と上面ラベル（０１−Ｂ）の右隅には、小さな文字で夫々のフォーマットデータを示す識別情報である「０１−Ａ」「０１−Ｂ」が印刷される。
【００７０】
上述の下地ラベルの下部に設けられら白抜き部に上面ラベルを貼ることにより図６（ｃ）に示す重ね貼りを行うラベルが作成できる。また、図６（ｄ）に示す「￥１，２００」と印刷された上面ラベルに貼り換えることにより図６（ｅ）に示す重ね貼りを行うラベルを作成することができる。これらの具体例は、食堂における「本日のランチ」の料金が「１０００円」、「１２００円」と変化する度に、下地ラベルの白抜き部に貼付された上面のラベルを貼り替えるだけで重ね貼りを行うラベルが完成することを示す。
【００７１】
そして、別の具体例として、オフィスにおける担当者を示す重ね貼りを行うラベルの場合であれば、図７に示すように「今週の担当者」の下地ラベルに対して、担当者が変わる度に例えば「ヤマダ」、「コジマ」といった透明で、しかも下地ラベルと同サイズの上面ラベルを下地ラベルに重ねるようにして貼り替えるだけで、ラベル変更が可能であることを示す。
【００７２】
以上のように本実施例によれば、重ね貼り用ラベルとしての下地ラベルと上面ラベルとを作成するにあたって、予め用意されたフォーマットデータに則って、文字列を入力することにより、所定の印刷テープ31における所定の位置に文字列を印刷させることができることにより簡単に重ね貼りを行うラベルを作成することができるテープ印刷装置1を提供することができる。
【００７３】
また、本実施例のテープ印刷装置1において上面ラベルは、弱接着性の接着剤が塗布されているテープか又は自己粘着テープとしていることから上面ラベルを下地ラベルから剥がすことが可能となり上面ラベルを容易に交換することができる。
【００７４】
更に、本実施例のテープ印刷装置1において上面ラベル、下地ラベルには、各ラベルのフォーマットを示す識別情報が印刷されることから、同様のラベルを作成する際に、フォーマットデータの選択が容易となり簡単にラベルを作成することができる。
【００７５】
そして、本実施例のテープ印刷装置1の重ね貼りを行うラベル作成のための前記第１のフォーマットデータには、ラベルのサイズ、印刷を行う印刷領域及び第２のラベルを貼り付ける貼付領域を定める情報を含み、第２のフォーマットデータには、ラベルのサイズ、印刷を行う印刷領域を定める情報を含んでいることから、フォーマットデータを選択することにより所望の大きさ、文字位置の重ね貼りを行うラベルを作成することできる。
【００７６】
更に、本実施例におけるフローチャートに示した処理は、コンピュータに実現させることのできるプログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施例で述べた各処理を記憶させ、他のコンピュータ等でプログラムを実行させることにより、本実施例の装置を用いた場合と同様の作用効果が得られる。なお、コンピュータは、本実施例で述べた装置に内蔵されたコンピュータに限定されるわけではなく、記憶媒体に記憶されたプログラムを読取り可能であって、読み取ったプログラムに従って制御動作を行なうＣＰＵ等の演算装置を備えているあらゆるコンピュータを含む。
【００７７】
なお、本発明は、以上の実施例に限定されるものでなく、発明の要旨を逸脱しない範囲で自由に変更、改良が可能である。
【符号の説明】
【００７８】
1  テープ印刷装置                         2  筐体
3  入力部                                 4  表示部
5  開閉蓋                                 7  テープ繰出部
8  カセット収容部                        11  サーマルヘッド
12  プラテンローラ                       13  リボン巻取軸
15  カセット受部                         16  テープ種別検出スイッチ
17  ハーフカット機構                     18  フルカット機構
21  テープカセット                       22  カセットケース
23  テープコア                           24  リボン供給コア
25  リボン巻取コア                       27  ヘッド配置部
29  被係合部                             31  印刷テープ
35  インクリボン                         40  制御部
41  ＲＯＭ                               42  ＲＡＭ
44  補助記憶装置                         45  テープ印刷機構
46  搬送モータ                           48a,48b  カッターモータ
51  印刷手段駆動回路                     52  搬送手段駆動回路
53  切断手段駆動回路
【図１】
2011037029.tif 000003
【図２】
2011037029.tif 000004
【図３】
2011037029.tif 000005
【図４】
2011037029.tif 000006
【図５】
2011037029.tif 000007
【図６】
2011037029.tif 000008
【図７】
2011037029.tif 000009